(57)【要約】【課題】共振周波数が異なる複数のアンテナを備えるマルチバンド受信機において、周波数信号の入力端側の構成である合成器を小型化し、複数の各アンテナに対応するＲＦフィルタと結合器とを一体で形成する。【解決手段】共振周波数が異なる複数のアンテナを結合する合成器であって、複数のアンテナに対応する複数の入力線１２ａ，１２ｂと一つの出力線１３との間に、出力線１３と複数の入力線１２ａ，１２ｂとの間を各アンテナの共振周波数で結合させる共振器１５ａ，１５ｂを設ける。この共振器１５ａ，１５ｂにより、出力線１３に対して複数の入力線１２ａ，１２ｂを接合すると共に、各アンテナの共振周波数で周波数選別した周波数信号を出力線から出力する。【選択図】　図１
2004112396.tif 000002
【特許請求の範囲】
【請求項１】
共振周波数が異なる複数のアンテナを結合する合成器であって、
複数のアンテナに対応する複数の入力線と一つの出力線との間に、前記出力線と複数の入力線との間を各アンテナの共振周波数で結合させる共振器を形成し、
当該共振器により、出力線に対する複数の入力線の接合と、各入力線毎に各アンテナの共振周波数による周波数選別とを行うことを特徴とする、合成器。
【請求項２】
前記共振器は、各入力線と出力線との間に多段のマイクロストリップ線を配置して各線間を側結合させ、当該側結合による共振周波数を各アンテナの共振周波数に設定することを特徴とする、請求項１に記載の合成器。
【請求項３】
前記出力線が形成される平面と同一面上、及び／又は前記面と異なる面上に、互いに共振周波数が異なる複数の共振器を配置することを特徴とする、請求項１、又は２に記載の合成器。
【請求項４】
前記出力線の長さ方向の少なくとも一方の側において、出力線の両側に互いに共振周波数が異なる共振器を配置することを特徴とする、請求項３に記載の合成器。
【請求項５】
共振周波数が異なる複数のアンテナと、複数の所定周波数の信号を信号処理する信号処理部との間に、請求項１乃至４の何れか一つに記載の合成器を備え、当該合成器により周波数分離された複数の周波数信号を受信することを特徴とする、マルチバンド受信機。
【発明の詳細な説明】
【０００１】
【発明の属する技術分野】
本発明は、無線通信機器に関し、特に、複数の周波数を受信するための合成器及びその合成器を備えたマルチバンド受信機に関する。
【０００２】
【従来の技術】
現在、各種の無線ネットワークが構築され、各種の情報のリアルタイムで収集することが可能となり、様々な用途への適用が検討され、実現されている。例えば、車両状況の監視や車両の運行管理、遠隔地や工場内等の所定領域内における情報収集、あるいは、インターネットを介して行うデータベース検索による情報収集等があり、専用の無線ネットワーク、あるいは、汎用に設置された無線ネットワークを介して行われている。
【０００３】
これらの無線ネットワークは、干渉をさけるために、それぞれ使用する周波数帯域が定められている。そのため、所望の無線ネットワークを利用するには、その無線ネットワークに設定された周波数帯域の信号を受信する必要がある。
【０００４】
そのため、一つの無線ネットワークに限らず、種々の無線ネットワークを利用して情報収集を行うには、それぞれの無線ネットワークに設定された周波数帯域の信号を全て受信できるマルチバンド受信機が必要となる。
【０００５】
このような要求を満たす最も単純な構成は、各周波数に対応した受信手段をそれぞれ用意するものである。図７は、各周波数に対応して複数の受信機手段を設けることによりマルチバンドを受信する構成例を示している。
【０００６】
周波数ｆａを受信する受信機は、例えば、周波数ｆａに対応したアンテナ２ａ及びＲＦフィルタ２１ａに続いて、低雑音増幅器（ＬＮＡ）３，ミキサ４，中間周波数帯のＩＦフィルタ７及びミキサ８，低帯域通過フィルタ（ＬＰＦ）９，可変出力増幅器１０，Ａ／Ｄ変換器５，デジタルシグナルプロセッサ６等の構成を備える。また、周波数ｆｂを受信する受信機についても、周波数ｆｂに対応したアンテナ２ｂ及びＲＦフィルタ２１ｂの他に、周波数ｆａの受信機と同様に、低雑音増幅器（ＬＮＡ）３からデジタルシグナルプロセッサ６の構成を備えている。なお、デジタルシグナルプロセッサ６は、取得したデータに所定のデータ処理を行うことにより、信号を取り出すことができる。
【０００７】
【発明が解決しようとする課題】
図７において破線で囲んだ部分は、各周波数に対して共通に使用することができる構成部分である。マルチバンド受信機は、この複数の周波数に対して共通な構成部分を共用することにより構成することができる。この共用化により構成されるマルチバンド受信機において、アンテナ及びＲＦフィルタは各周波数に対応してそれぞれ備える必要がある。
【０００８】
マルチバンド受信機においては、小型化は一つの求められる課題である。そのため、マルチバンド受信機を小型化するにはアンテナ及びＲＦフィルタを小型化する必要がある。
【０００９】
ここで、このアンテナ及びＲＦフィルタを小型化する手法として、図８に示される構成が考えられる。
【００１０】
図８に示す構成例は、アンテナとして広帯域アンテナ２０を用いることにより、アンテナ及びＲＦフィルタの部分を小型化しようとするものである。この構成によれば、広帯域アンテナを採用することにより、各周波数に対応して要したアンテナの数を減少させることができるが、広帯域アンテナは小型化が困難であって大型となるため、マルチバンド受信機の小型化には不適である。また、広帯域アンテナは、送信機からの信号の回り込みを防止するために、広帯域アンテナ２０と低雑音増幅器（ＬＮＡ）３との間に回り込み防止用のＲＦフィルタ２１を設ける必要がある。したがって、図８に示す構成例は、マルチバンド受信機の小型化には適していない。
【００１１】
一方、図９に示す構成例は、アンテナを各受信周波数に対応した分割アンテナ（２ａ〜２ｃ）で構成し、各受信周波数を合成することにより、アンテナ及びＲＦフィルタの部分を小型化しようとするものである。
【００１２】
この構成によれば、図８に示す構成例のような大型の広帯域アンテナや回り込み防止用のＲＦフィルタを不要とすることでマルチバンド受信機を構成することができるが、小型化には以下のような問題がある。
【００１３】
図９において、マルチバンド受信機の周波数信号の入力端側において、分割したアンテナ（２ａ〜２ｃ）に対してそれぞれＲＦフィルタ（２１ａ〜２１ｃ）が必要であり、さらに、このＲＦフィルタ（２１ａ〜２１ｃ）と受信回路側の低雑音増幅器（ＬＮＡ）３との間に、複数の周波数信号を結合するための結合器２２を設ける必要があり、これら各構成要素のために小型化に限界があるという問題がある。
【００１４】
また、この結合器２２では、ＲＦフィルタや受信回路との接合点においてインピーダンスの不整合により信号に反射が生じるため、信号反射を繰り返す間に受信信号に損失が発生するという問題があり、また、ＲＦフィルタ２１と結合器２２とをそれぞれ個別に設計する必要があるという問題もある。
【００１５】
したがって、マルチバンド受信機において、周波数信号の入力端側の、分割したアンテナ（２ａ〜２ｃ）と低雑音増幅器（ＬＮＡ）３との間に備える、ＲＦフィルタ２１と結合器２２を構成要素とする合成器２３を小型化することが求められる。
【００１６】
そこで、本発明は前記した従来の問題点を解決し、共振周波数が異なる複数のアンテナを備えるマルチバンド受信機において、周波数信号の入力端側の構成である合成器を小型化することを目的とする。さらに、詳細には、複数の各アンテナに対応するＲＦフィルタと結合器とを一体で形成することを目的とする。
【００１７】
【課題を解決するための手段】
本発明は、マルチバンド受信機の周波数信号の入力端側の構成において、フィルタと結合器とを備える合成器を一体化で構成することにより小型化及び低損失化を行う。
【００１８】
合成器を一体化して構成することにより、周波数信号の入力端側の構成を小型化することができ、また、インピーダンスの不整合による損失をなくすことができる。また、フィルタと結合器とを別々に設計する必要がないため、設計の負担を軽減することができる。
【００１９】
本発明の目的は、合成器及びこの合成器を備えるマルチバンド受信機により達成することができる。
【００２０】
本発明の合成器は、共振周波数が異なる複数のアンテナを結合する合成器であって、複数のアンテナに対応する複数の入力線と一つの出力線との間に共振器を形成し、出力線と複数の入力線との間を各アンテナの共振周波数で結合させる。この共振器により、出力線に対して複数の入力線を接合すると共に、各アンテナの共振周波数で周波数選別した周波数信号を出力線から出力させる。
【００２１】
共振器は、各入力線と出力線との間に多段のマイクロストリップ線を配置して各線間を側結合させて形成することができる。この側結合で形成される共振周波数を各アンテナの共振周波数に設定することにより、アンテナの共振周波数を通過帯域とするフィルタを構成することができる。
【００２２】
本発明の合成器において、共振器の配置は種々に設定することができる。例えば、出力線が形成される平面と同一面上に配置する構成、出力線が形成される平面と異なる面上に層状に配置する構成、あるいは、前記両配置を組み合わせた構成とすることができ、各配置位置に、互いに共振周波数が異なる複数の共振器を配置する。
【００２３】
共振器を、出力線が形成される平面と同一面上に配置する一構成として、例えば、出力線の長さ方向の少なくとも一方の側において、出力線の両側に互いに共振周波数が異なる共振器を配置する構成がある。
【００２４】
なお、複数の共振器間では、互いの周波数の結合度が低くなるように設定し、互いの周波数による影響を低減させ、これにより互いの回り込みによる損失を低減させることができる。
【００２５】
また、本発明のマルチバンド受信機は、共振周波数が異なる複数のアンテナと、複数の所定周波数の信号を信号処理する信号処理部との間に、本発明の合成器を設ける。この合成器により周波数分離された複数の周波数信号を受信する。
【００２６】
【発明の実施の形態】
以下、本発明の実施の形態について、図を参照しながら詳細に説明する。
【００２７】
図１は本発明の合成器を説明するための概略図であり、図２は本発明のマルチバンド受信機を説明するための概略図である。
【００２８】
図１（ａ）は、本発明の合成器が形成される基板を上方から見た平面図であり、図１（ｂ）は本発明の合成器が形成される基板の断面図であり、図１（ａ）中の一点鎖線に沿った部分を示している。
【００２９】
なお、図１に示す構成例は、合成器の各構成部分を同一平面上に配置した例であり、二つの共振器を形成した構成例を示している。
【００３０】
本発明の合成器は、マイクロストリップ線を用いたパターンにより形成することができ、共振器部分は半波長側結合フィルタと同様の構成により形成することができる。
【００３１】
合成器１Ａは、出力線１３と複数の入力線１２（１２ａ，１２ｂ）を備え、このる入力線１２ａと出力線１３との間、及び入力線１２ｂと出力線１３との間に共振器１５（１５ａ，１５ｂ）が形成される。ここで、入力線１２（１２ａ，１２ｂ）は、それぞれ共振周波数の異なるアンテナ側に接続する端子部分となり、出力線１３は受信回路側に接続する端子部分となる。
【００３２】
入力線１２ａと出力線１３との間には、マイクロストリップ線１４ａ−１，１４ａ−２が設けられ、例えば半波長側結合により、入力線１２ａと接続されるアンテナ（図示していない）の共振周波数と同じ共振周波数の共振器１５ａが形成される。半波長側結合による構成では、アンテナの共振周波数の波長をλａとするとき、マイクロストリップ線１４ａ−１，１４ａ−２の長さをλａ／２とし、両マイクロストリップ線が対向する区間の長さはλａ／４とし、これにより側結合を行う。
【００３３】
入力線１２ａに接続されるアンテナ（図示していない）で受信された信号は、共振器１５ａにより形成される通過帯域フィルタを通ることにより、共振周波数の波長がλａの信号が選別され、出力線１３から受信回路側（図示していない）に送られる。
【００３４】
入力線１２ｂ出力線１３との間においても、マイクロストリップ線１４ｂ−１，１４ｂ−２が設けられ、同様にして入力線１２ｂと接続されるアンテナ（図示していない）の共振周波数と同じ共振周波数の共振器１５ｂが形成される。共振周波数の波長をλｂとするとき、マイクロストリップ線１４ｂ−１，１４ｂ−２の長さをλｂ／２とし、両マイクロストリップ線をλｂ／４の長さの区間で側結合させる。
【００３５】
入力線１２ｂに接続されるアンテナ（図示していない）で受信された信号は、共振器１５ｂにより形成される通過帯域フィルタを通ることにより、共振周波数の波長がλｂの信号が選別され、出力線１３から受信回路側（図示していない）に送られる。
【００３６】
共振器１５ａ及び共振器１５ｂの通過域特性は、各マイクロストリップ線の線幅やマイクロストリップ線間の間隔により適宜定めることができる。
【００３７】
これにより、出力線１３には、共振器１５ａを通過して選別された周波数信号と、共振器１５ｂを通過して選別された周波数信号がそれぞれ導かれる。共振器１５ａと共振器１５ｂの共振周波数を異ならせることにより、出力線１３には異なる周波数信号が導かれる。
【００３８】
したがって、図１で示される本発明の合成器１Ａによれば、出力線１３の両側に二つの共振器１５ａ，１５ｂを配置することにより、通過帯域フィルタと結合器の２つを側結合により一体で構成することができる。
【００３９】
なお、共振器１５ａと共振器１５ｂの共振周波数は、互いの周波数の結合度が低くなるように設定し、互いの周波数による影響を低減させる。これにより互いの回り込みによる損失を低減させることができる。
【００４０】
また、入力線１２及び出力線１３は、その特性インピーダンスが例えば５０Ωとなるようにその線幅が定められる。また、その長さは、例えば実装に必要な外部端子程度に定められる。
【００４１】
なお、これらのパターンは、図１（ｂ）に示すように、下面のアース電極１７を形成した誘電体基板１６上に形成することができる。
【００４２】
図２，図３を用いて、本発明の合成器による通過特性を説明する。
図２は、図１に示した構成例の共振器１５ａ及び共振器１５ｂの通過特性を示し、共振器１５ａの通過帯域の中心周波数は５ＧＨｚとし、共振器１５ｂの通過帯域の中心周波数は８．５ＧＨｚとして設計した例を示している。なお、図中の実線は計算値を示し、破線は実測値を示している。
【００４３】
図２（ａ）は共振器１５ａの通過特性を示しており、実測値（破線）が示す減衰量は５ＧＨｚを中心周波数とする通過帯域が形成されていることを示している。また、図２（ｂ）は共振器１５ｂの通過特性を示しており、実測値（破線）が示す減衰量は８．５ＧＨｚを中心周波数とする通過帯域が形成されていることを示している。
【００４４】
なお、図２に示す通過特性は、５ＧＨｚあるいは８．５ＧＨｚ以外の周波数帯域においても通過帯域を形成しているが、この帯域は５ＧＨｚあるいは８．５ＧＨｚの整数倍の周波数帯域である。
【００４５】
図３は、本発明の共振器の通過特性と、個別の構成した帯域通過フィルタの通過特性との比較を示しており、図中の実線（図中のｗｉｔｈ　ｄｉｖ）は本発明の構成による通過特性を示し、破線（図中のｓｉｎｇｌｅ）は帯域通過フィルタを単体で構成した場合の通過特性を示している。
【００４６】
また、図３（ａ）は共振器１５ａの通過帯域の中心周波数は５ＧＨｚとし、図３（ｂ）共振器１５ｂの通過帯域の中心周波数は８．５ＧＨｚとして設計した例を示してる。
【００４７】
図３（ａ）、（ｂ）において、共振器１５ａの５ＧＨｚにおける通過損失は約２［ｄＢ］となり、共振器１５ｂの８．５ＧＨｚにおける通過損失は約２．５［ｄＢ］となり、帯域通過フィルタ単体と同等の帯域通過特性が得られる。
【００４８】
この通過特性の比較は、本発明のフィルタと結合器と一体で形成した合成器は、個別に構成したフィルタと結合器との組み合わせからなる合成器との同等の帯域通過特性が得られることを示している。
【００４９】
図４は、本発明の合成器を用いて構成するマルチバンド受信機の構成例であり、異なる周波数ｆａ及びｆｂを受信する例を示している。
【００５０】
マルチバンド受信機１１は、アンテナ２と、本発明による合成器１と、低雑音増幅器（ＬＮＡあるいはＢＰＦ）３，ミキサ４，中間周波数帯のＩＦフィルタ及びミキサ，低帯域通過フィルタ（ＬＰＦ），可動出力増幅器，Ａ／Ｄ変換器５，デジタルシグナルプロセッサ６等の構成を有する受信回路を備える。なお、低雑音増幅器（ＬＮＡ）３からデジタルシグナルプロセッサ６までの受信回路は、図９の構成と同様とすることができる。ここで、アンテナ２は、周波数ｆａを共振周波数とするアンテナ２ａと周波数ｆｂを共振周波数とするアンテナ２ｂを備える。なお、デジタルシグナルプロセッサ６は、所定のデータ処理を行うことにより信号を取り出すことができる。なお、図４では、ＩＦフィルタ及びミキサ，低帯域通過フィルタ（ＬＰＦ），可動出力増幅器の構成については省略している。
【００５１】
合成器１は、アンテナ２と受信回路側の低雑音増幅器３との間において、入力線１２ａ，１２ｂを同じ共振周波数のアンテナ２ａ，２ｂにそれぞれ接続し、出力線１３を低雑音増幅器３の入力端子（図示していない）に接続する。
【００５２】
合成器１は、アンテナの共振周波数と同じ周波数を共振周波数とする帯域通過特性を有するフィルタ機能と、複数のフィルタ出力を結合する結合機能を一体で備えているため、合成器１の出力線から各アンテナの周波数信号を得ることができる。
【００５３】
以下、本発明の合成器について他の構成例を、図５，図６を用いて説明する。図１に示した構成例は、出力線１３の長さ方向の一方の側において、出力線１３の両側に共振器１５ａ，１５ｂを配置した構成例を示しているが、出力線に配置する共振器は、出力線の長さ方向の一方の側に限らず、両側とすることもできる。
【００５４】
図５（ａ）は、入力線１２として、１２ａ〜１２ｄの４本を備える構成例である。この構成例による合成器１Ｂは、出力線１３の長さ方向の一方の側に、図１の構成と同様に、出力線１３の両側に共振器１５ａ，１５ｂを配置して入力線１２ａ，１２ｂと接続し、同様に、出力線１３の長さ方向の他方の側にも、出力線１３の両側に共振器１５ｃ，１５ｄを配置して入力線１２ｃ，１２ｄと接続する。
【００５５】
各共振器１５ａ〜１５ｄは、それぞれ入力線１２ａ〜１２ｄと接続するアンテナ（図示していない）の共振周波数と同じ共振周波数となるように、マイクロストリップ線の長さ等が設定され、各マイクロストリップ線の線幅やマイクロストリップ線間の間隔により通過域特性が適宜定められる。また、各共振器１５ａ〜１５ｄの共振周波数は、互いの周波数の結合度が低くなるように設定し、互いの周波数による影響を低減させる。
【００５６】
図５（ｂ）は、入力線１２として、１２ａ〜１２ｈの８本を備える構成例である。この構成例による合成器１Ｃは、出力線１３を例えば４本の腕部分を持つ十字形状とし、出力線１３の各腕の先端側に、図１乃至図５（ａ）の構成と同様に、出力線１３の両側に二つの共振器を配置して二本の入力線と接続する。これにより、出力線１３と８本の入力線１２ａ〜１２ｈとの間に、共振器１５ａ〜１５ｈを配置することができる。なお、図中には、出力線１３から受信機側への引き出し線を図示していないが、出力線１３に適宜マイクロストリップ線路を接続したり、基板背面から出力線１３の中央部にピン打つなどの構成によりプローブを取り付けることにより、信号を取り出すことができる。
【００５７】
ここで、各共振器１５ａ〜１５ｈは、前記した例と同様に、それぞれ入力線１２ａ〜１２ｈと接続するアンテナ（図示していない）の共振周波数と同じ共振周波数となるように、マイクロストリップ線の長さ等が設定され、各マイクロストリップ線の線幅やマイクロストリップ線間の間隔により通過域特性が適宜定められる。また、各共振器１５ａ〜１５ｈの共振周波数は、互いの周波数の結合度が低くなるように設定し、互いの周波数による影響を低減させる。
【００５８】
なお、腕部分を持つ出力線は十字形状に限らず、複数の腕を任意の形状で持たせる構成とすることができる。
【００５９】
図１，図５に示した構成例は、出力線と同一の平面上に共振器を配置する構成例を示しているが、共振器は、出力線と同一の平面以外の異なる面に配置することもできる。
【００６０】
図６は、共振器を出力線が形成される面と異なる面に層状に配置する例を示している。
図６は、入力線１２ｉ，１２ｊを出力線１３の上側及び下側に備える構成例である。この構成例による合成器１Ｄは、出力線１３の長さ方向の一方の側において、上側と下側の両側に共振器１５ｉ，１５ｊを配置して入力線１２ｉ，１２ｊと接続する。
【００６１】
図６（ａ）は斜視図を示し、図６（ｂ）は断面図を示している。図（ｂ）の断面図において、出力線１３は、例えば、基板１６の両面に入力線のパターンを形成し、内部の中間層部分に、アース電極の層１７を形成して接地するように構成することができる。
【００６２】
各共振器１５ｉ，１５ｊは、それぞれ入力線１２ｉ，１２ｊと接続するアンテナ（図示していない）の共振周波数と同じ共振周波数となるように、マイクロストリップ線の長さ等が設定され、各マイクロストリップ線の線幅やマイクロストリップ線間の間隔により通過域特性が適宜定められる。また、各共振器１５ｉ，１５ｊの共振周波数は、互いの周波数の結合度が低くなるように設定し、互いの周波数による影響を低減させる。
【００６３】
なお、図６に示す構成は、出力線の長さ方向の一方の側の上下に共振器を配置する構成を示しているが、出力線の長さ方向の両方の側の上下に共振器を配置する構成、複数の腕に対して上下に共振器を配置する構成とすることもできる。
【００６４】
さらに、共振器を出力線と同一の面上に配置する構成と、出力線の面と異なる面に配置する構成とを組み合わせて、立体的に共振器を配置するようにしてもよい。
【００６５】
本発明の合成器が備える複数の共振器において、互いの周波数における結合度が低くなるように帯域通過フィルタを形成することにより、互いの周波数による影響を低減させることができ、これにより、相互の回り込みによる損失を低減することができる。
【００６６】
したがって、本発明の合成器及びマルチバンド受信機によれば、フィルタと結合部とを一体化することにより、小型化と低損失化の二つの効果を同時に奏することができる。
【００６７】
また、本発明の合成器は、フィルタ機能と結合機能を、マイクロストリップ線の設計により同時に達成することができるため、個々の機能を別個に設計するという手間を削減することができる。
【００６８】
なお、上記では、合成器及びマルチバンド受信機について示しているが、合成器に入出力関係を逆にすることにより分配器あるいはマルチバンド送信機としても構成することができ、共振器により、入力線に対する複数の出力線の接合と、各出力線毎に各アンテナの共振周波数による周波数選別とを行うことができる。
【００６９】
【発明の効果】
以上説明したように、本発明によれば、共振周波数が異なる複数のアンテナを備えるマルチバンド受信機において、周波数信号の入力端側の構成である合成器を小型化することができる。
【００７０】
また、複数の各アンテナに対応するＲＦフィルタと結合器とを一体で形成することができる。
【図面の簡単な説明】
【図１】本発明の合成器を説明するための概略図である。
【図２】本発明のマルチバンド受信機を説明するための概略図である。
【図３】本発明の合成器が備える共振器の通過特性を示す図である。
【図４】本発明の共振器の通過特性と、個別の構成した帯域通過フィルタの通過特性とを比較する図である。
【図５】本発明の合成器について他の構成例を説明するための図である。
【図６】本発明の合成器について他の構成例を説明するための図である。
【図７】複数の受信機手段によるマルチバンド受信の構成例を示す図である。
【図８】アンテナ及びＲＦフィルタを小型化する一手法を説明するための図である。
【図９】アンテナ及びＲＦフィルタを小型化する他の一手法を説明するための図である。
【符号の説明】
１，１Ａ，１Ｂ，１Ｃ，１Ｄ…合成器
２，２ａ，２ｂ，２ｃ…アンテナ
３…低雑音増幅器（ＬＮＡ）
４…ミキサ
５…Ａ／Ｄ変換器
６…デジタルシグナルプロセッサ
７…ＩＦフィルタ
８…ミキサ
９…低帯域通過フィルタ（ＬＰＦ）
１０…可動出力増幅器
１１…マルチバンド受信機
１２，１２ａ〜１２ｊ…入力線
１３…出力線
１４，１４ａ−１，１４ａ−２，１４ｂ−１，１４ｂ−１，…マイクロストリップ線
１５，１５ａ〜１５ｌｊ…共振器
１６…基板
１７…アース電極
２１，２１ａ，２１ｂ，２１ｃ…ＲＦフィルタ
２２…結合器
２３…合成器
【図１】
2004112396.tif 000003
【図２】
2004112396.tif 000004
【図３】
2004112396.tif 000005
【図４】
2004112396.tif 000006
【図５】
2004112396.tif 000007
【図６】
2004112396.tif 000008
【図７】
2004112396.tif 000009
【図８】
2004112396.tif 000010
【図９】
2004112396.tif 000011